(57)【要約】【課題】手間をかけずに低コストに養生することのできるネジ式機械式継手の養生材および養生方法を提供する。【解決手段】ネジ式機械式継手１２に設けられたネジ孔１４を養生するために、このネジ孔１４に装着される養生材１０であって、ネジ孔１４に螺合可能なネジ溝１８が外周面に形成された軸部２０と、軸部２０の一端に設けられ、軸方向視で円形状の外形をした頭部２２と、頭部２２の端面２４に設けられ、回転工具を係合可能な凹状の係合部２６とを備えるボルトからなるようにする。【選択図】図１
2020105742.tif 000002
【特許請求の範囲】
【請求項１】
ネジ式機械式継手に設けられたネジ孔を養生するために、このネジ孔に装着される養生材であって、
ネジ孔に螺合可能なネジ溝が外周面に形成された軸部と、軸部の一端に設けられ、軸方向視で円形状の外形をした頭部と、頭部の端面に設けられ、回転工具を係合可能な凹状の係合部とを備えるボルトからなることを特徴とするネジ式機械式継手の養生材。
【請求項２】
凹状の係合部が、軸方向視で六角形状をした六角穴付きボルトであることを特徴とする請求項１に記載のネジ式機械式継手の養生材。
【請求項３】
請求項１または２に記載のネジ式機械式継手の養生材を用いてネジ式機械式継手を養生する方法であって、
ネジ式機械式継手のネジ孔に軸部を螺合するとともに、頭部の端面が型枠の内面に接するように養生材を取り付けた後、型枠の内部に固化材を打設し、その後、型枠を脱型してから、養生材の頭部の端面の係合部に回転工具を係合して回すことにより、ネジ式機械式継手のネジ孔から養生材を取り外し可能としたことを特徴とするネジ式機械式継手の養生方法。
【発明の詳細な説明】
【技術分野】
【０００１】
本発明は、ネジ式機械式継手の養生材および養生方法に関するものであり、特に、逆巻き工法の打継部で用いるのに好適なネジ式機械式継手の養生材および養生方法に関するものである。
【背景技術】
【０００２】
従来、逆巻き工法の打継部においてネジ式機械式継手（例えば、特許文献１を参照）を使用する場合、逆巻きスラブ（機械式継手の埋込側）に設置する継手接続部の塞ぎ材（養生材）としてパッキン付き六角ボルトを用いていた。その方法としては、図４（１）に示すように、ネジ式機械式継手１のネジ孔２に螺合する六角ボルト３を型枠４の内面に接するように設置する方法１と、図４（２）に示すように、型枠４を埋込側のネジ式機械式継手１と六角ボルト３で挟み込む方法２がある。ただし、図中の符号５はネジ節鉄筋、符号６はパッキンである。図４（３）のような六角ボルト３ではなく塩化ビニル製のキャップでネジ孔２を塞ぐ方法もあるが止水性は高くない。短期であれば埋込時の養生材として使用できるが、ネジ孔への鉄筋接続までの期間が長くなる逆巻き工法等では埋込側継手内部のネジ孔が発錆してしまうため適していない。
【先行技術文献】
【特許文献】
【０００３】
【特許文献１】特開２０１４−２００２５号公報
【発明の概要】
【発明が解決しようとする課題】
【０００４】
ところで、逆巻き工法では、例えば図５に示すように、逆巻き上床版７の周縁などの壁主筋８等の鉛直鉄筋のネジ式機械式継手１は、打継目９となる水平型枠４上に設置される。上記の方法１の場合は、後打ちとなる逆打ち壁施工時（機械式継手の接続側施工時）に六角ボルトを工具で回して撤去するために、六角ボルトの頭部周りのコンクリートを斫り込んで工具用の隙間を形成する必要がある。この砕り作業を行う際にボルトや機械式継手本体を損傷させるおそれがあった。また、上向き斫りに伴う作業員への負担が大きくなるとともに安全対策を十分に確保する必要があった。
【０００５】
上記の方法２の場合は、多数の機械式継手の箇所について型枠に鉄筋径相当の穴をあけて配置することになり、鉄筋の組立、脱型ともに手間がかかるおそれがあった。また、型枠の下側には型枠支保工があるため、根太のピッチを工夫しておかないと所定のピッチで鉄筋を配置できないおそれがあった。この場合、機械式継手の配筋や底型枠の脱型に労力がかかるばかりでなく、脱型後に再度、防錆や損傷防止を目的とした仮ボルト等を再度設置する必要があり、継手の数が多く工期が長い逆巻き工法の施工現場においては工費増大の要因となるおそれがあった。
【０００６】
塩化ビニル製キャップを用いて脱型後に別途防錆処理（例えば、パッキン付き六角ボルトの取付等）を行うこともできるが、次のような不具合がある。逆巻きスラブの鉄筋組立手順は組立の初期段階で機械式継手が付いた壁主筋を建込む。次にスラブやハンチ部の配筋を行うがスラブの配筋が密であるほど、支承物等の補強筋が多いほど、部材厚が大きいほど、組立中に（組立中のあおりや結束作業に伴って）建て込んだ壁主筋に部分的に数ミリオーダーの浮きが生じ、コンクリート打設時にセメントペースト分が回り込んでボルト頭部の端面を隠してしまう。この場合、底型枠の脱型後に機械式継手の接続面を探すためにコンクリート表面をシノや電動ピックで斫る必要がある。斫る際にシノの先端やピックのノミが機械式継手のネジ孔に入り込んでしまい、これを損傷するおそれがあった。
【０００７】
このため、コンクリート打継部におけるネジ式機械式継手のネジ孔を手間をかけずに低コストに養生することのできる技術が求められていた。
【０００８】
本発明は、上記に鑑みてなされたものであって、手間をかけずに低コストに養生することのできるネジ式機械式継手の養生材および養生方法を提供することを目的とする。
【課題を解決するための手段】
【０００９】
上記した課題を解決し、目的を達成するために、本発明に係るネジ式機械式継手の養生材は、ネジ式機械式継手に設けられたネジ孔を養生するために、このネジ孔に装着される養生材であって、ネジ孔に螺合可能なネジ溝が外周面に形成された軸部と、軸部の一端に設けられ、軸方向視で円形状の外形をした頭部と、頭部の端面に設けられ、回転工具を係合可能な凹状の係合部とを備えるボルトからなることを特徴とする。
【００１０】
また、本発明に係る他のネジ式機械式継手の養生材は、上述した発明において、凹状の係合部が、軸方向視で六角形状をした六角穴付きボルトであることを特徴とする。
【００１１】
また、本発明に係るネジ式機械式継手の養生方法は、上述したネジ式機械式継手の養生材を用いてネジ式機械式継手を養生する方法であって、ネジ式機械式継手のネジ孔に軸部を螺合するとともに、頭部の端面が型枠の内面に接するように養生材を取り付けた後、型枠の内部に固化材を打設し、その後、型枠を脱型してから、養生材の頭部の端面の係合部に回転工具を係合して回すことにより、ネジ式機械式継手のネジ孔から養生材を取り外し可能としたことを特徴とする。
【発明の効果】
【００１２】
本発明に係るネジ式機械式継手の養生材によれば、ネジ式機械式継手に設けられたネジ孔を養生するために、このネジ孔に装着される養生材であって、ネジ孔に螺合可能なネジ溝が外周面に形成された軸部と、軸部の一端に設けられ、軸方向視で円形状の外形をした頭部と、頭部の端面に設けられ、回転工具を係合可能な凹状の係合部とを備えるボルトからなるので、この養生材の軸部を型枠の内面近傍のネジ式機械式継手のネジ孔に装着してコンクリートを打設すれば、脱型後のコンクリート表面に位置する頭部の係合部に回転工具を容易に係合することができ、この回転工具を回すことによりボルトを取り外すことが可能である。このため、ボルトを取り外すためにボルトの頭部周りを斫り込む作業が不要となり、施工コストを低減することができる。したがって、本発明によれば、手間をかけずに低コストにネジ式機械式継手を養生することができるという効果を奏する。また、ボルトの頭部の端面にセメントペースト分が回り込んだ場合でも、頭部の周囲をえぐるような斫り込みは不要であるので、ネジ式機械式継手そのものが損傷する可能性は極めて低くなる。
【００１３】
また、本発明に係る他のネジ式機械式継手の養生材によれば、凹状の係合部が、軸方向視で六角形状をした六角穴付きボルトであるので、脱型後に、例えば六角棒スパナなどの回転工具を係合部に係合して回すことにより、ボルトを容易に取り外すことができるという効果を奏する。
【００１４】
また、本発明に係るネジ式機械式継手の養生方法によれば、上述したネジ式機械式継手の養生材を用いてネジ式機械式継手を養生する方法であって、ネジ式機械式継手のネジ孔に軸部を螺合するとともに、頭部の端面が型枠の内面に接するように養生材を取り付けた後、型枠の内部に固化材を打設し、その後、型枠を脱型してから、養生材の頭部の端面の係合部に回転工具を係合して回すことにより、ネジ式機械式継手のネジ孔から養生材を取り外し可能としたので、ボルトを取り外すためにボルトの頭部周りを斫り込む作業が不要となり、施工コストを低減することができる。したがって、本発明によれば、手間をかけずに低コストにネジ式機械式継手を養生することができるという効果を奏する。
【図面の簡単な説明】
【００１５】
【図１】図１は、本発明に係るネジ式機械式継手の養生材および養生方法の実施の形態を示す断面図である。
【図２】図２は、本発明に係るネジ式機械式継手の養生材の実施の形態を示す図であり、（１）は斜視図、（２）は断面図である。
【図３】図３は、本発明に係るネジ式機械式継手の養生材の使用状況写真図であり、（１）はコンクリート打設前の壁主筋の配筋状況を示す写真図、（２）は養生材の要部拡大写真図である。
【図４】図４は、従来のネジ式機械式継手の養生方法を示す図であり、（１）は方法１、（２）は方法２、（３）は六角ボルトの斜視図である。
【図５】図５は、従来の逆巻き工法の打継部を示す断面図であり、（１）は全体図、（２）は部分拡大図である。
【発明を実施するための形態】
【００１６】
以下に、本発明に係るネジ式機械式継手の養生材および養生方法の実施の形態を図面に基づいて詳細に説明する。なお、この実施の形態によりこの発明が限定されるものではない。
【００１７】
図１に示すように、本実施の形態に係るネジ式機械式継手の養生材１０は、コンクリート打継部に埋設されるネジ式機械式継手１２のネジ孔１４を養生するために、このネジ孔１４に装着されるものである。養生材１０は、止水性を確保するためにパッキン１６を介して装着することが好ましい。
【００１８】
図１および図２に示すように、この養生材１０は六角穴付きボルトからなる。このボルトは、ネジ孔１４に螺合可能なネジ溝１８が外周面に形成された軸部２０と、軸部２０の一端に同軸に設けられた円盤状の頭部２２と、頭部２２の端面２４に設けられた凹状の係合部２６とを備える。頭部２２の端面２４は平坦になっている。凹状の係合部２６は、軸方向視で六角形状をしており、六角棒レンチなどの六角柱状のビット（回転工具）が係合できるようになっている。
【００１９】
ネジ式機械式継手１２は、両端が開口した円筒状の鋼管からなり、内周面にネジ溝が形成されたネジ孔１４を有している。このネジ孔１４には、ネジ節鉄筋２８と養生材１０の軸部２０が螺合できるようになっている。
【００２０】
上記構成の動作および作用について、逆巻き工法の壁の打継部に配置されるネジ式機械式継手に適用する場合を例にとり説明する。
まず、図３（１）に示すように、壁主筋８を配筋し、図示しない壁主筋８の下端のネジ節鉄筋２８とネジ式機械式継手１２とを連結する。一方、図３（２）および図１に示すように、型枠３０の内面近傍に配置するネジ式機械式継手１２のネジ孔１４に、養生材１０の軸部２０を螺合して装着する。その後、型枠３０の内部にコンクリート３２（固化材）を打設して、ネジ式機械式継手１２を埋設する。
【００２１】
コンクリート３２の硬化後に型枠３０を脱型すると、コンクリート３２の表面には、円盤状の頭部２２の端面２４が面一に露出する。この頭部２２の端面２４には、六角形の凹状の係合部２６が形成されているので、この係合部２６に六角棒レンチ等の回転工具を容易に係合することができる。また、頭部２２は円盤状で軸方向視の外形が円形であることから、頭部２２を軸周りに回転させた際に頭部２２周りのコンクリート３２に影響を与えない。このため、回転工具を係合部２６に係合して回すことにより容易に養生材１０をネジ孔１４から取り外すことが可能である。
【００２２】
このように、上記の構成によれば、養生材１０の頭部２２の外形を円形にすることで、頭部２２周りを斫り込むことなく、脱型したコンクリート３２の表面から直接、養生材１０の除去が可能である。また、従来要していた頭部２２周りを斫り込む作業が不要となるので、上記の従来の方法と比較して労務コストを低減することができる。したがって、手間をかけずに低コストにネジ式機械式継手１２を養生することができる。また、逆巻き工法の打継部の施工品質を大きく向上させることもできる。
【００２３】
また、頭部２２の端面２４にセメントペースト分が回り込んだ場合でも、頭部２２の周囲をえぐるような斫り込みは不要であるので、ネジ式機械式継手１２そのものが損傷する可能性を極めて低くすることができる。
【００２４】
以上説明したように、本発明に係るネジ式機械式継手の養生材によれば、ネジ式機械式継手に設けられたネジ孔を養生するために、このネジ孔に装着される養生材であって、ネジ孔に螺合可能なネジ溝が外周面に形成された軸部と、軸部の一端に設けられ、軸方向視で円形状の外形をした頭部と、頭部の端面に設けられ、回転工具を係合可能な凹状の係合部とを備えるボルトからなるので、この養生材の軸部を型枠の内面近傍のネジ式機械式継手のネジ孔に装着してコンクリートを打設すれば、脱型後のコンクリート表面に位置する頭部の係合部に回転工具を容易に係合することができ、この回転工具を回すことによりボルトを取り外すことが可能である。このため、ボルトを取り外すためにボルトの頭部周りを斫り込む作業が不要となり、施工コストを低減することができる。したがって、本発明によれば、手間をかけずに低コストにネジ式機械式継手を養生することができる。また、ボルトの頭部の端面にセメントペースト分が回り込んだ場合でも、頭部の周囲をえぐるような斫り込みは不要であるので、ネジ式機械式継手そのものが損傷する可能性は極めて低くなる。
【００２５】
また、本発明に係る他のネジ式機械式継手の養生材によれば、凹状の係合部が、軸方向視で六角形状をした六角穴付きボルトであるので、脱型後に、例えば六角棒スパナなどの回転工具を係合部に係合して回すことにより、ボルトを容易に取り外すことができる。
【００２６】
また、本発明に係るネジ式機械式継手の養生方法によれば、上述したネジ式機械式継手の養生材を用いてネジ式機械式継手を養生する方法であって、ネジ式機械式継手のネジ孔に軸部を螺合するとともに、頭部の端面が型枠の内面に接するように養生材を取り付けた後、型枠の内部に固化材を打設し、その後、型枠を脱型してから、養生材の頭部の端面の係合部に回転工具を係合して回すことにより、ネジ式機械式継手のネジ孔から養生材を取り外し可能としたので、ボルトを取り外すためにボルトの頭部周りを斫り込む作業が不要となり、施工コストを低減することができる。したがって、本発明によれば、手間をかけずに低コストにネジ式機械式継手を養生することができる。
【産業上の利用可能性】
【００２７】
以上のように、本発明に係るネジ式機械式継手の養生材および養生方法は、ネジ孔を有するネジ式機械式継手の養生に有用であり、特に、逆巻き工法の打継部に埋設されるネジ式機械式継手を手間をかけずに低コストに養生するのに適している。
【符号の説明】
【００２８】
１０  養生材（ボルト）
１２  ネジ式機械式継手
１４  ネジ孔
１６  パッキン
１８  ネジ溝
２０  軸部
２２  頭部
２４  端面
２６  係合部
２８  ネジ節鉄筋
３０  型枠
３２  コンクリート（固化材）
【図１】
2020105742.tif 000003
【図２】
2020105742.tif 000004
【図３】
2020105742.tif 000005
【図４】
2020105742.tif 000006
【図５】
2020105742.tif 000007